(57)【要約】【課題】指などで押圧操作を行った状態で転写作業を行わなければならないものとなっている。よって、その転写作業が煩わしく、特に、広い範囲に渡って転写を行う場合には、押圧している指にストレスが感じられてしまっていた。【解決手段】塗膜転写具本体内に塗膜転写テープを巻装した繰り出しリールと巻き取りリールとが回転可能に設けられた塗膜転写具であって、前記本体に対して出没可能な連結部材を配置し、その連結部材の先端に転写ヘッドを設ける一方、その転写ヘッドと対向する位置に巻架部を設けると共に、前記塗膜転写テープを転写ヘッドと巻架部に巻装した塗膜転写具。【選択図】　図１
2004130746.tif 000002
【特許請求の範囲】
【請求項１】
塗膜転写具本体内に塗膜転写テープを巻装した繰り出しリールと巻き取りリールとが回転可能に設けられた塗膜転写具であって、前記本体に対して出没可能な連結部材を配置し、その連結部材の先端に転写ヘッドを設ける一方、その転写ヘッドと対向する位置に巻架部を設けると共に、前記塗膜転写テープを転写ヘッドと巻架部に巻装したことを特徴とする塗膜転写具。
【発明の詳細な説明】
【０００１】
【発明の属する技術分野】
本発明は、塗膜転写具本体内に塗膜転写テープを巻装した繰り出しリールと巻き取りリールとが回転可能に設けられた塗膜転写具に関する。
【０００２】
【従来の技術】
従来、塗膜転写具は数多く提案されているが、不使用時には転写テープを本体内に位置させておき、使用時に押圧操作することによって、転写テープを本体から露出させる塗膜転写具も知られている（特許文献１参照）
【０００３】
【特許文献１】
特開平６−５５８９５号公報（段落０００９第２行目〜段落００１０第４行目）
【０００４】
【発明が解決しようとする課題】
しかし、上記従来技術にあっては、指などで押圧操作を行った状態で転写作業を行わなければならないものとなっている。よって、その転写作業が煩わしく、特に、広い範囲に渡って転写を行う場合には、押圧している指にストレスが感じられてしまっていた。
【０００５】
【課題を解決するための手段】
本発明は、塗膜転写具本体内に塗膜転写テープを巻装した繰り出しリールと巻き取りリールとが回転可能に設けられた塗膜転写具であって、前記本体に対して出没可能な連結部材を配置し、その連結部材の先端に転写ヘッドを設ける一方、その転写ヘッドと対向する位置に巻架部を設けると共に、前記塗膜転写テープを転写ヘッドと巻架部に巻装したことを要旨とする。
【０００６】
【実施例】
本発明の実施の形態を図１〜図２に示し、詳細に説明する。　塗膜転写具本体１内の繰り出しリール２は、繰り出し方向のみ回転自在ではあるが前後動不能に支柱１ａを介して塗膜転写具本体１に取り付けられている。また、塗膜転写具本体１内の巻き取りリール３は、巻き取り方向のみ回転自在ではあるが前後動不能に支柱１ｂを介して塗膜転写具本体１に取り付けられている。
デビットカム機構などからなるノック式の出没機構４は、前記塗膜転写具本体１の後方に配置・固定されている。参照符号５はノックであり、前記出没機構４を介して連結部材６に連結・連動可能なものとなっている。また、その連結部材６の上下の２箇所には、長溝１３、１４が形成されており、前記支柱１ａ、１ｂを挿着している。つまり、その支柱１ａ、１ｂは、連結部材６が上下動する際のガイドとしても作用している。
【０００７】
前記連結部材６の長溝１３の上方には、巻架部９が一体に形成されているが、別部材で構成し一体的に固定しても良い。一方、連結部材６の前端には、転写ヘッド８が一体形成されているが、この転写ヘッド８も別部材で構成し、一体的に固定してもよい。尚、前記塗膜転写具本体１の先端には、突出孔１ｃが形成されており、この突出孔１ｃから前記転写ヘッド８が出没する。
更に前記連結部材６の長溝１４の内部には、コイルスプリングなどからなる弾撥部材７が挿着されており、一端が前記支柱１ｂに当接している。この弾撥部材７は、常に圧縮状態にあり、前記連結部材６を上方に向け付勢している。
【０００８】
前記繰り出しリール２に巻回されている塗膜転写テープ１０は、その繰り出しリール２から繰り出され、巻架部９や誘導ピン１１ａ、１１ｂを介して、前記転写ヘッド８に巻装され、次いで、巻き取りリール３によって巻き取られるようになっている。ちなみに、塗膜転写テープ１０は、その転写部を外側に向けて塗膜転写用ヘッド８に巻装されている。
【０００９】
次に、本発明の動作について説明する。ノック５を押すと出没機構４により、その出没機構４と連結・連動されている連結部材６が、前記弾撥部材７の弾撥力に抗しながらも長溝１３、１４に沿って下方に移動する。その時、転写ヘッド８は連結部材６と一体に連結されているため、転写ヘッド８も同様に下方に移動する。そして、遂には、転写ヘッド８が前記塗膜転写テープ１０と共に、本体１の突出孔１ｃから突出する。
次いで、ノック５の押圧操作を解除すると、デビットカム機構である出没機構４により連結部材６の後退が阻止され、転写ヘッド８の突出状態が維持される（図２参照）。
【００１０】
使用後、転写ヘッド８と塗膜転写テープ１０を本体１内に没入させたい場合は、再度、前記ノック５を押圧する。この再度の押圧操作によって、出没機構４の阻止機能が解除され、前記弾撥部材７の付勢力によって連結部材６が上方に移動すると共に、その連結部材６の移動に伴って転写ヘッド８も上昇し、やがて、前記本体１内に没入・収容される。この時、前記塗膜転写テープ１０は、連結部材６と一体に形成された巻架部９によって上方へと引っ張り上げられる。その結果、塗膜転写テープ１０は、前記転写ヘッド８に密着した状態を維持しつつ本体１内に没入される。これにより使用できない状態となる。
【００１１】
尚、前記実施例において出没機構４は、デビットカム機構を採用しているが、これに限定されることなく、単なるスライド式の機構であっても良い。要は、使用時の筆圧によって塗膜転写用ヘッド８が上昇してしまうなど、使用に差し支えない構造、或いは、材質であれば、適宜選択が可能である。また、前記弾撥部材７は、コイルスプリングが好ましいが、圧縮、弾撥作用を有する部材であるならば、その形状や材質は適宜選択が可能である。
更に、本実施例では塗膜転写具本体１と出没機構機構４とを取り外しができない構造としたが、利便性を考慮すると取り外しができるようにしても良い。
【００１２】
【発明の効果】
本発明は、塗膜転写具本体内に塗膜転写テープを巻装した繰り出しリールと巻き取りリールとが回転可能に設けられた塗膜転写具であって、前記本体に対して出没可能な連結部材を配置し、その連結部材の先端に転写ヘッドを設ける一方、その転写ヘッドと対向する位置に巻架部を設けると共に、前記塗膜転写テープを転写ヘッドと巻架部に巻装したので、転写作業を容易に行うことができる。
【図面の簡単な説明】
【図１】本発明の塗膜転写用ヘッド没入時の一実施例切断正面図である。
【図２】図１の塗膜転写用ヘッド出没時の実施例切断正面図である。
【符号の説明】
１　　　塗膜転写具本体
２　　　繰り出しリール
３　　　巻き取りリール
４　　　出没機構
５　　　ノック
６　　　連結部材
７　　　弾撥部材
８　　　転写ヘッド
９　　　巻架部
１０　　塗膜転写テープ
１１ａ　誘導ピン
１１ｂ　誘導ピン
１２　　長溝
１３　　長溝
１４　　長溝
【図１】
2004130746.tif 000003
【図２】
2004130746.tif 000004